(57)【要約】【課題】電流通路の過熱時に、負荷の前に位置する活線弾性片と活線導電片が確実に開かれるよう確約する温度制限電力遮断式コンセントを提供すること。【解決手段】座体５の活線取付部に活線導電片１及び活線端子２が取り付けられ、中性線取付部に中性線導電片３及び中性線端子４が取り付けられ、保護構造６の拘束力により活線弾性片１１と活線接触部２１、中性線弾性片３１と中性線接触部４１が相互に接触し、過熱時に保護構造６が破壊されて活線弾性片１１と活線接触部２１、中性線弾性片３１と中性線接触部４１が分離され、支持部材７の支持ユニットの第１当接部が活線接触部２１または／及び活線取付部に当接され、第２当接部が中性線接触部４１または／及び中性線取付部に当接され、前記拘束力に抗する支持力を提供する。【選択図】図１
2018142421.tif 000002
【特許請求の範囲】
【請求項１】
温度制限電力遮断式コンセントであって、活線導電片と、少なくとも１つの活線端子と、中性線導電片と、少なくとも１つの中性線端子と、座体と、少なくとも１つの保護構造と、支持部材を含み、
前記活線導電片が少なくとも１つの活線弾性片を含み、
前記活線端子が活線接触部を含み、
前記中性線導電片が少なくとも１つの中性線弾性片を含み、
前記中性線端子が中性線接触部を含み、
前記座体が、活線取付部と中性線取付部を含み、前記活線取付部に前記活線導電片及び前記活線端子が取り付けられ、前記中性線取付部に前記中性線導電片及び前記中性線端子が取り付けられ、かつ、常態において、前記活線弾性片と前記活線接触部の間、及び前記中性線弾性片と前記中性線接触部の間にそれぞれ間隔が設けられ、
前記少なくとも１つの保護構造が、第１規制部材、第２規制部材、連接部材を含み、前記連接部材に前記第１規制部材及び前記第２規制部材を連接し、前記第１規制部材及び前記第２規制部材が、前記活線弾性片と前記中性線弾性片にそれぞれ当接され、拘束力を提供して前記活線弾性片と前記活線接触部を相互に接触させると共に、前記中性線弾性片と前記中性線接触部を相互に接触させ、前記活線弾性片と前記活線接触部の間の過熱時、または前記中性線弾性片と前記中性線接触部の間の過熱時、前記保護構造が破壊されて前記拘束力を失い、前記活線弾性片と前記活線接触部、前記中性線弾性片と前記中性線接触部が常態に戻って分離され、
前記支持部材が、少なくとも１つの支持ユニットを含み、前記支持ユニットが少なくとも１つの第１当接部及び少なくとも１つの第２当接部を含み、前記第１当接部が前記活線接触部または／及び前記活線取付部に当接され、前記第２当接部が前記中性線接触部または／及び前記中性線取付部に当接され、前記拘束力に抗する支持力を提供することを特徴とする、温度制限電力遮断式コンセント。
【請求項２】
前記支持ユニットに収容槽と２つの端縁が形成され、前記端縁が前記収容槽の両端に位置し、かつ前記端縁が前記活線接触部及び前記中性線接触部にそれぞれ直接当接され、前記第１当接部及び前記第２当接部を構成することを特徴とする、請求項１に記載の温度制限電力遮断式コンセント。
【請求項３】
前記座体が中間部を含み、前記中間部が前記活線取付部及び前記中性線取付部の間に位置し、前記活線取付部が前記中間部の一側に隣接する第１仕切り部を備え、前記中性線取付部が前記中間部の一側に隣接する第２仕切り部を備え、前記第１仕切り部及び前記第２仕切り部がいずれも相互に連通された取付槽を備え、前記支持ユニットの少なくとも一部が前記取付槽に配置されたことを特徴とする、請求項２に記載の温度制限電力遮断式コンセント。
【請求項４】
前記支持ユニットに２つの係合部が設けられ、前記係合部が前記第１仕切り部及び前記第２仕切り部にそれぞれ係合されたことを特徴とする、請求項３に記載の温度制限電力遮断式コンセント。
【請求項５】
前記活線導電片の活線弾性片、前記活線端子、前記中性線端子及び前記中性線導電片の中性線弾性片の数量はいずれも複数であり、それぞれを一組として前記座体上に設置されたことを特徴とする、請求項１に記載の温度制限電力遮断式コンセント。
【請求項６】
前記支持ユニットが連接部を含み、該連接部を介して相隣する支持ユニットが連接されたことを特徴とする、請求項５に記載の温度制限電力遮断式コンセント。
【請求項７】
前記座体が中間部、第１仕切り部、第２仕切り部を含み、前記中間部が前記活線取付部及び前記中性線取付部の間に位置し、前記第１仕切り部が前記活線取付部の前記中間部に隣接する一側に位置し、前記第２仕切り部が前記中性線取付部の前記中間部に隣接する一側に位置し、前記連接部の両側面が前記第１仕切り部及び前記第２仕切り部にそれぞれ当接され、前記第１当接部及び前記第２当接部をそれぞれ構成することを特徴とする、請求項６に記載の温度制限電力遮断式コンセント。
【請求項８】
接地線導電片が前記中間部に設置され、前記支持ユニットに位置規制部が設けられ、前記位置規制部が前記接地線導電片に当接されたことを特徴とする、請求項７に記載の温度制限電力遮断式コンセント。
【請求項９】
前記支持部材が一体成形で成ることを特徴とする、請求項６に記載の温度制限電力遮断式コンセント。
【発明の詳細な説明】
【技術分野】
【０００１】
本発明は、動作温度が高過ぎるとき電力を遮断する温度制限電力遮断式コンセントに関する。
【背景技術】
【０００２】
電路に電流過負荷、短絡、過熱等の状況が発生することを防ぐため、通常は、電路上にヒューズやブレーカーが設置され、電路の温度が高すぎたり、電流が大きすぎるとき、ヒューズが高温の影響を受けて溶断される、あるいはブレーカーの金属弾性片がトリップし、電路を開成して電流を切断し、電力使用時の安全を保障している。
【０００３】
特許文献１に記載の「絶縁式昇温破壊固定片及び前記絶縁式昇温破壊固定片を使用したプラグ、コンセント」は、絶縁式昇温破壊固定片が、連接部材と、前記連接部材の二端に結合された２つの規制部材を含んで、Ｈ字形の構造を形成し、前記連接部材が導電片上に形成された溝部内に設置され、前記２つの規制部材を前記２つの導電部材の相対する外側に当接させ、前記２つの導電部材を相互に接触させて位置規制し、前記連接部材が過熱時に破壊されて、前記２つの導電部材間に切断状態が形成されるものである。
【０００４】
しかし、各活線弾性片と活線導電片には昇温破壊固定片が使用されており、各中性線弾性片と中性線導電片には別の昇温破壊固定片が使用されている（特許文献１の図２１参照）。負荷（電器）が活線導電片と中性線導電片の間に接続されると、電流が活線弾性片、活線導電片、負荷（電器）、中性線導電片と中性線弾性片を順に経由して電流通路が形成される。過熱した位置が中性線弾性片と中性線導電片の間の場合、中性線弾性片と中性線導電片の間の固定片が温度上昇によって破壊されるが、このとき、活線弾性片と活線導電片の間に位置する固定片が破壊されず、電流の切断状態が形成される前の高電流が負荷に入ってしまい、前記負荷が漏電していると、操作者が接地状態下で前記負荷に触れたとき、操作者が感電してしまう可能性がある。
【０００５】
また、特許文献２の図１、図２、図３に示される実施例では、活線導電片（ｌｉｖｅ  ｗｉｒｅ  ｃｏｎｄｕｃｔｉｖｅ  ｐｌａｔｅ）と活線接触部（ｌｉｖｅ  ｗｉｒｅ  ｃｏｎｔａｃｔ  ｐｏｒｔｉｏｎ）間に個別に独立した位置規制部材（ｌｉｍｉｔｉｎｇ  ｅｌｅｍｅｎｔ）が使用され、中性線導電片（ｎｅｕｔｒａｌ  ｗｉｒｅ  ｃｏｎｄｕｃｔｉｖｅ  ｐｌａｔｅ）と中性線接触部（ｎｅｕｔｒａｌ  ｗｉｒｅ  ｃｏｎｔａｃｔ  ｐｏｒｔｉｏｎ）間も個別に独立した別の位置規制部材（ｌｉｍｉｔｉｎｇ  ｅｌｅｍｅｎｔ）が使用されている。このため、この特許文献２に記載のものにも、特許文献１に記載のものと同様な問題が存在する。即ち、過熱状況下では、中性線導電片と中性線接触部の間の位置規制部材のみが破壊され、活線導電片と活線接触部の間の位置規制部材が完全に維持される可能性がある。
【先行技術文献】
【特許文献】
【０００６】
【特許文献１】台湾実用新案登録第Ｍ５０９９９９号明細書
【特許文献２】米国特許第ＵＳ９２５７７９８号明細書
【発明の概要】
【発明が解決しようとする課題】
【０００７】
本発明が解決しようとする課題は、これに鑑み、電流通路の過熱時に、負荷の前に位置する活線弾性片と活線導電片が確実に開かれるよう確約する温度制限電力遮断式コンセントを提供することにある。
【課題を解決するための手段】
【０００８】
本発明の温度制限電力遮断式コンセントは、活線導電片と、少なくとも１つの活線端子と、中性線導電片と、少なくとも１つの中性線端子と、座体と、少なくとも１つの保護構造と、支持部材を含み、前記活線導電片が少なくとも１つの活線弾性片を含み、前記活線端子が活線接触部を含み、前記中性線導電片が少なくとも１つの中性線弾性片を含み、前記中性線端子が中性線接触部を含み、前記座体が、活線取付部と中性線取付部を含み、前記活線取付部に前記活線導電片及び前記活線端子が取り付けられ、前記中性線取付部に前記中性線導電片及び前記中性線端子が取り付けられ、かつ、常態において、前記活線弾性片と前記活線接触部の間、及び前記中性線弾性片と前記中性線接触部の間にそれぞれ間隔が設けられ、前記少なくとも１つの保護構造が、第１規制部材、第２規制部材、連接部材を含み、前記連接部材に前記第１規制部材及び前記第２規制部材を連接し、前記第１規制部材及び前記第２規制部材が、前記活線弾性片と前記中性線弾性片にそれぞれ当接され、拘束力を提供して前記活線弾性片と前記活線接触部を相互に接触させると共に、前記中性線弾性片と前記中性線接触部を相互に接触させ、前記活線弾性片と前記活線接触部の間の過熱時、または前記中性線弾性片と前記中性線接触部の間の過熱時、前記保護構造が破壊されて前記拘束力を失い、前記活線弾性片と前記活線接触部、前記中性線弾性片と前記中性線接触部が常態に戻って分離され、前記支持部材が、少なくとも１つの支持ユニットを含み、前記支持ユニットが少なくとも１つの第１当接部及び少なくとも１つの第２当接部を含み、前記第１当接部が前記活線接触部または／及び前記活線取付部に当接され、前記第２当接部が前記中性線接触部または／及び前記中性線取付部に当接され、前記拘束力に抗する支持力を提供する。
【０００９】
以下の構成を採用することがある。
前記支持ユニットに収容槽と２つの端縁が形成され、前記端縁が前記収容槽の両端に位置し、かつ前記端縁が前記活線接触部及び前記中性線接触部にそれぞれ直接当接され、前記第１当接部及び前記第２当接部となる構成。
この場合、前記座体が中間部を含み、前記中間部が前記活線取付部及び前記中性線取付部の間に位置し、前記活線取付部が前記中間部の一側に隣接する第１仕切り部を備え、前記中性線取付部が前記中間部の一側に隣接する第２仕切り部を備え、前記第１仕切り部及び前記第２仕切り部がいずれも相互に連通された取付槽を備え、前記支持ユニットの少なくとも一部が前記取付槽に配置された構成。
さらにこの時、前記支持ユニットに２つの係合部が設けられ、前記係合部が前記第１仕切り部及び前記第２仕切り部にそれぞれ係合された構成。
【００１０】
前記活線導電片の活線弾性片、前記活線端子、前記中性線端子及び前記中性線導電片の中性線弾性片の数量はいずれも複数であり、それぞれを一組として前記座体上に設置された構成。
前記支持ユニットが連接部を含み、該連接部を介して相隣する支持ユニットが連接された構成。
前記座体が中間部、第１仕切り部、第２仕切り部を含み、前記中間部が前記活線取付部及び前記中性線取付部の間に位置し、前記第１仕切り部が前記活線取付部の前記中間部に隣接する一側に位置し、前記第２仕切り部が前記中性線取付部の前記中間部に隣接する一側に位置し、前記連接部の両側が前記第１仕切り部及び前記第２仕切り部にそれぞれ当接され、前記第１当接部及び前記第２当接部となる構成。
この場合、接地線導電片が前記中間部に設置され、前記支持ユニットに位置規制部が設けられ、前記位置規制部が前記接地線導電片に当接された構成。
前記支持部材が一体成形で成る構成。
【発明の効果】
【００１１】
本発明は次の効果を達成することができる。
１.電流通路の過熱時、活線弾性片、活線接触部、中性線弾性片と中性線接触部が開かれ、負荷（電器）が継続して電流を受けないように確約することができる。
２.支持部材により支持作用が提供され、保護構造の拘束力による座体の変形を防止し、または／及び活線弾性片及び活線接触部と中性線弾性片及び中性線接触部の間をより確実に接触させて導電させることができる。
３.支持部材を係合部により第１仕切り部及び第２仕切り部に係合して位置決めすれば、既定の取付位置から離脱しないようにすることができる。
４.支持部材を一体成形とすれば組み立てが容易である。
【図面の簡単な説明】
【００１２】
【図１】本発明の実施例１を示す温度制限電力遮断式コンセントの斜視図である。
【図２】本発明の実施例１を示す温度制限電力遮断式コンセントの分解斜視図である。
【図３】本発明の実施例１を示す温度制限電力遮断式コンセントの平面図であり、活線弾性片と活線接触部の間及び中性線弾性片と中性線接触部の間にそれぞれ予め設けられた一定の間隔を示す。
【図４】本発明の実施例１を示す温度制限電力遮断式コンセントの活線弾性片と中性線弾性片を位置規制した状態における平面図である。
【図５】本発明の実施例１を示す温度制限電力遮断式コンセントの要部分解斜視図である。
【図６】図１のＶＩ−ＶＩ断面図である。
【図７】図１のＶＩＩ−ＶＩＩ断面図である。
【図８】支持部材を設置せずに拘束力の影響を受けて変形した温度制限電力遮断式コンセントの断面図である。
【図９】本発明の実施例１を示す温度制限電力遮断式コンセントの保護構造切断状態における平面図である。
【図１０】本発明の実施例１を示す温度制限電力遮断式コンセントのコンセントハウジング内に取り付けた状態の斜視図である。
【図１１】本発明の実施例２を示す温度制限電力遮断式コンセントの要部分解斜視図である。
【図１２】本発明の実施例３を示す温度制限電力遮断式コンセントの要部分解斜視図である。
【発明を実施するための形態】
【００１３】
以下、本発明の実施例を図面に基づいて詳細に説明する。
図１〜図１０は、本発明の実施例１を示す。
図１と図２に示すように、実施例１の温度制限電力遮断式コンセントは、活線導電片１、複数の活線端子２、中性線導電片３、複数の中性線端子４、座体５、複数の保護構造６及び支持部材７を含み、かつさらに接地線導電片８を含んでもよい。
活線導電片１は複数の活線弾性片１１を含む。活線端子２はそれぞれ活線接触部２１を含み、かつそれぞれに活線差込部２２が設けられる。中性線導電片３は複数の中性線弾性片３１を含む。中性線端子４はそれぞれ中性線接触部４１を含み、かつそれぞれに中性線差込部４２が設けられる。活線差込部２２及び中性線差込部４２はいずれもプラグの刃の挿入に供される。
活線導電片１の活線弾性片１１、活線端子２、中性線導電片３の中性線弾性片３１、中性線端子４は、座体５上に対を成して設置され、コンセント本体１０を形成する。
図１０に示すように、コンセント本体１０はコンセントハウジング１００内に設置することができ、かつコンセント本体１０とコンセントハウジング１００の複数の差込口１０１が相互に対応する。
【００１４】
図３に示すように、座体５は活線取付部５１及び中性線取付部５２を含む。活線取付部５１は活線導電片１及び活線端子２を固定して取り付ける(例えば嵌合)ために用いられ、中性線取付部５２は中性線導電片３及び中性線端子４を固定して取り付ける(例えば嵌合)ために用いられる。
実施例１では、活線導電片１が活線端子２の外側に間隔をあけて並設され、中性線導電片３が中性線端子４の外側に間隔をあけて並設され、かつ、常態において（後述する拘束力が働かない状態において）、活線弾性片１１と活線接触部２１の間、及び中性線弾性片３１と中性線接触部４１の間にそれぞれ予め一定の間隔Ｔが設けられる。
【００１５】
図４に示すように、保護構造６はそれぞれ第１規制部材６１、第２規制部材６２、連接部材６３を含む。連接部材６３の両端に第１規制部材６１と第２規制部材６２が連接され、各保護構造６にＨ字形の構造形態を形成させる。
本実施例において、第１規制部材６１、第２規制部材６２及び連接部材６３は例えばプラスチック材質などの熱破壊される材質を選択して使用する。前記熱破壊材質は８０℃〜２９９℃で破壊されることができ、かつ第１規制部材６１と第２規制部材６２は板状で、連接部材６３と第１規制部材６１の間、及び連接部材６３と第２規制部材６２の間にいずれも被破壊部６４が設けられる。被破壊部６４の厚さＴ１は連接部材３の厚さＴ２より小さい。
但し、これに限らず、第１規制部材６１及び第２規制部材６２は金属材質としてもよく、連接部材６３をプラスチック材質として、熱伝導をより均一活迅速にして、電流通路の過熱時に、被破壊部６４が破壊されるように確約することができる。
【００１６】
図４と図５に示すように、第１規制部材６１及び第２規制部材６２は、活線弾性片１１と中性線弾性片３１にそれぞれ当接させて、拘束力を提供し、活線弾性片１１と活線接触部２１を相互に接触させると共に、中性線弾性片３１と中性線接触部４１をそれぞれ相互に接触させる。
活線弾性片１１と活線接触部２１の間の過熱時、または中性線弾性片３１と中性線接触部４１の間の過熱時、保護構造６が破壊されて前記拘束力が失われる。
【００１７】
詳細に説明すると、活線弾性片１１の上縁に第１凹部１１１を形成し、活線接触部２１の第１凹部１１１と対応する位置に第２凹部２１１を形成し、中性線弾性片３１の上縁に第３凹部３１１を形成し、中性線接触部４１の第３凹部３１１と対応する位置に第四凹部４１１を形成する。
組み立て時は、まず力Ｆを加えて、活線弾性片１１を内側へ撓ませて活線接触部２１に当接させ、且つ中性線弾性片３１を内側へ撓ませて中性線接触部４１に当接させた後、第１規制部材６１及び第２規制部材６２をそれぞれ活線弾性片１１と中性線弾性片３１の外側面に当接させ、かつ連接部材６３を前記第１凹部１１１、前記第２凹部２１１、前記第３凹部３１１、前記第四凹部４１１に収容することで、活線弾性片１１と中性線弾性片３１を位置規制し、活線弾性片１１と活線接触部２１を相互に接触させ、中性線弾性片３１と中性線接触部４１を相互に接触させる。
【００１８】
図２に示すように、支持部材７は、プラスチック材質より成り、複数の支持ユニット７１を一体成形することができる。各支持ユニット７１は、それぞれ複数の第１当接部７１１ａ、７１１ｂ、複数の第２当接部７１２ａ、７１２ｂ、及び連接部７２を含み、連接部７２が相隣する支持ユニット７１を連接するために用いられる。
図６と図７に示すように、そのうち１つの第１当接部７１１ａが活線接触部２１に当接され、別の第１当接部７１１ｂが中性線接触部４１に当接され、そのうち１つの第２当接部７１２ａが活線取付部５１に当接され、別の第２当接部７１２ｂが中性線取付部５２に当接されて、保護構造６の拘束力に抗する支持力を提供する。
【００１９】
詳細に説明すると、座体５はさらに中間部５３を含み、中間部５３が活線取付部５１及び中性線取付部５２の間に位置し、活線取付部５１が中間部５３の一側に隣接する第１仕切り部５１１を備え、中性線取付部５２が中間部５３の一側に隣接する第２仕切り部５２１を備え、第１仕切り部５１１及び第２仕切り部５２１がいずれも相互に連通された取付槽５４を備え、支持ユニット７１が取付槽５４に配置される。
支持ユニット７１には収容槽７１１と２つの端縁が形成され、収容槽７１１は保護構造６を収容するために用いられる。前記端縁は収容槽７１１の両端に位置し、かつ前記端縁が活線接触部２１及び中性線接触部４１の内側面にそれぞれ直接当接される第１当接部７１１ａ、７１１ｂを構成する。
また、連接部７２の両側面は第１仕切り部５１１及び第２仕切り部５２１の内側面にそれぞれ当接する第２当接部７１２ａ、７１２ｂを構成する。
【００２０】
好ましくは、図６及び図７に示すように、支持ユニット７１に２つの係合部７３及び位置規制部７４が設けられる。２つの係合部７３は、収容槽７１１の下面に突設され、第１仕切り部５１１及び第２仕切り部５２１の外側面にそれぞれ引っかかって支持部材７を位置規制する（図６）。位置規制部７４は、連接部７２の下面に突設され、接地線導電片８に当接する（図７）。
追加説明が必要なのは、支持部材７により保護構造６の拘束力に抗する支持力が提供されるため、全体構造の強度を高めることができ、このため図８に示すような状況を回避することができる点である。図８に示す状況とは、座体５が保護構造６の提供する拘束力の影響を受けて変形を生じ、かつ活線弾性片１１、活線接触部２１、中性線弾性片３１、中性線接触部４１がそのために確実に密着しなくなり、接触面積が不足して温度の過度な上昇という問題が発生しやすくなる。
【００２１】
図９に示すように、使用時、活線弾性片１１と活線接触部２１の間が過熱したとき、または中性線弾性片３１と中性線接触部４１の間が過熱したときは、第１規制部材６１、第２規制部材６２、連接部材６３のどの箇所が破壊されても、第１規制部材６１、第２規制部材６２、連接部材６３が原有の位置規制作用を失い、活線弾性片１１、活線接触部２１、中性線弾性片３１、中性線接触部４１が常態に戻って分離される。例えば本実施例において、過熱時、通常は被破壊部６４から破壊が発生する。
【００２２】
図１１に、本発明の実施例２を示す。
実施例２の温度制限電力遮断式コンセントは、実施例１と同様に、活線導電片１Ａ、複数の活線端子２Ａ、中性線導電片３Ａ、複数の中性線端子４Ａ、座体５Ａ、複数の保護構造６Ａ、複数の支持部材７Ａを含む。主な違いは、各支持部材７Ａが一体成形ではなく、それぞれ独立した部材である点にある。
各支持部材７Ａは槽状を呈して保護構造６Ａを収容することができ、かつ各支持部材７Ａはそれぞれ両端縁が活線端子２Ａの活線接触部２１Ａ及び中性線端子４Ａの中性線接触部４１Ａに当接される第１当接部７１１Ａを構成する。
これにより、活線弾性片１１Ａと活線接触部２１Ａを確実に密着させ、中性線弾性片３１Ａと中性線接触部４１Ａを確実に密着させるとともに、保護構造６Ａの拘束力に抗する支持力を提供することができる。
【００２３】
図１２に、本発明の実施例３を示す。
実施例３の温度制限電力遮断式コンセントは、活線導電片１Ｂ、複数の活線端子２Ｂ、中性線導電片３Ｂ、複数の中性線端子４Ｂ、座体５Ｂ、複数の保護構造６Ｂ、複数の支持部材７Ｂを含む。主な違いは、各支持部材７Ｂが一体成形及び槽状ではなく、いずれも板状を呈している点にある。
各支持部材７Ｂはそれぞれ両端が活線端子２Ｂの活線接触部２１Ｂ及び中性線端子４Ｂの中性線接触部４１Ｂに当接される第１当接部７１１Ｂを構成する。これにより、活線弾性片１１Ｂと活線接触部２１Ｂを確実に密着させ、中性線弾性片３１Ｂと中性線接触部４１Ｂを確実に密着させることができる。
但し追加説明が必要なのは、支持部材７Ｂは活線端子２Ｂの活線接触部２１Ｂ及び中性線端子４Ｂの中性線接触部４１Ｂの間に当接させるだけに限らず、長さを変えて座体５Ｂの活線取付部５１Ｂ及び中性線取付部５２Ｂの間に当接させても、同様に保護構造６Ｂの拘束力に抗する支持力を提供することができる点である。
同様に、支持部材７Ｂの形態を変えて（例えば、Ｌ字状に折り曲げて）、支持部材７Ｂの両端を活線接触部２１Ｂと中性線取付部５２Ｂにそれぞれ当接させる、または活線取付部５１Ｂと中性線接触部４１Ｂに当接させることもできる。
【００２４】
以上は、本発明の実施例の説明であり、これらを以って本発明の権利範囲を限定することはできず、特許請求の範囲を逸脱しない変化や修飾はすべて本発明の権利範囲内に含まれる。
【符号の説明】
【００２５】
１０                コンセント本体
１００              コンセントハウジング
１０１              差込口
１、１Ａ、１Ｂ      活線導電片
１１、１１Ａ、１１Ｂ    活線弾性片
１１１              第１凹部
２、２Ａ、２Ｂ      活線端子
２１、２１Ａ、２１Ｂ    活線接触部
２１１              第２凹部
２２                活線差込部
３、３Ａ、３Ｂ      中性線導電片
３１、３１Ａ、３１Ｂ    中性線弾性片
３１１              第３凹部
４、４Ａ、４Ｂ      中性線端子
４１、４１Ａ、４１Ｂ    中性線接触部
４１１              第四凹部
４２                中性線差込部
５、５Ａ、５Ｂ      座体
５１、５１Ｂ        活線取付部
５１１              第１仕切り部
５２、５２Ｂ        中性線取付部
５２１              第２仕切り部
５３                中間部
５４                取付槽
６、６Ａ、６Ｂ      保護構造
６１                第１規制部材
６２                第２規制部材
６３                連接部材
６４                被破壊部
７、７Ａ、７Ｂ      支持部材
７１                支持ユニット
７１１              収容槽
７１１ａ、７１１ｂ、７１１Ａ、７１１Ｂ        第１当接部
７１２ａ、７１２ｂ    第２当接部
７２                連接部
７３                係合部
７４                位置規制部
８                  接地線導電片
Ｔ                  間隔
Ｔ１、Ｔ２            厚さ
Ｆ                  力
【図１】
2018142421.tif 000003
【図２】
2018142421.tif 000004
【図３】
2018142421.tif 000005
【図４】
2018142421.tif 000006
【図５】
2018142421.tif 000007
【図６】
2018142421.tif 000008
【図７】
2018142421.tif 000009
【図８】
2018142421.tif 000010
【図９】
2018142421.tif 000011
【図１０】
2018142421.tif 000012
【図１１】
2018142421.tif 000013
【図１２】
2018142421.tif 000014